(57)【要約】
【課題】　マイナスイオンを発生する機能を持たせて除塵、殺菌し、空気を浄化する効果を有し、使用価値を高めることができるマイナスイオン発生器付き天井ファンを提供することを目的とする。
【解決手段】　上記課題を解決するため、天井ファンとマイナスイオン発生器とを有し、天井ファンは１つの吊りロッド上に１つの天座を有し、天座内に数個の羽根を回転させる駆動装置を有し、吊りロッド上に内部に上記羽根を動作させる変速コントロールスイッチ及び方向切り換えスイッチ、電気コードを有する１つのコントローラーカバーを有し、コントローラーカバー内に１つのマイナスイオン発生器を有し、天井ファン上のスイッチを入れることにより、同時にマイナスイオンを発生させる構成とされる。
【選択図】　図１
0003099900.tif 000002
【実用新案登録請求の範囲】
【請求項１】
　天井ファンとマイナスイオン発生器とを有し、上記天井ファンは、１つの吊りロッド上に１つの天座を有し、上記天座内に、上記天座下方に設置された数個の羽根を回転させる駆動装置を有し、上記天座の下方の上記吊りロッド上に、内部に上記羽根を動作させる変速コントロールスイッチ及び方向切り換えスイッチ、電気コードを有する１つのコントローラーカバーを有し、
　上記コントローラーカバー内に１つの上記マイナスイオン発生器を有し、上記マイナスイオン発生器の電源コードを上記天井ファンの上記電気コードと連結させ、上記天井ファンのスイッチを入れると同時に上記マイナスイオン発生器にもスイッチが入る構造で、
　上記マイナスイオン発生器のマイナスイオン放出端は、上記コントローラーカバー上の１つの穴より外部に突出するよう設置され、上記天井ファン上のスイッチを入れることにより、同時にマイナスイオンを発生させることを特徴とするマイナスイオン発生器付き天井ファン。
【考案の詳細な説明】
【技術分野】
【０００１】
　本考案はマイナスイオン発生器付き天井ファンに係るものであり、特に、送風を行うだけでなく、マイナスイオンを発生させるマイナスイオン発生器付き天井ファンに係るものである。
【背景技術】
【０００２】
　従来の天井ファンは、室内の天井に吊り下げる吊り下げ式の扇風機であり、送風することにより通気効果に優れ、室内の活動空間を取らないため、一般的に多く利用されており、例えば、従来の天井ファンは住居や職場或は店等に設置され、長期に渡り使われている。このような従来の天井ファンの構造は、今日まで長期に渡り使用されていながら、全体的な機能に大きな変化がないという問題に焦点を当てて、新しい機能を具備した一種の天井ファンを開発するかが、関係業界では開発目標となっている。
【考案の開示】
【考案が解決しようとする課題】
【０００３】
　しかしながら、従来の天井ファンは住居や職場或は店等で長期に渡り使われているが、全体的な機能に大きな変化はなく、関係業界内での激しい競争の条件下において、各部の部品の質感や外形を変化させたり、機能的に電球を取り付けたりするのみであり、従来の天井ファンの開発において大幅な進展が見られないという問題点があった。
【０００４】
　更に、このような新商品開発において既定概念の範囲を乗り越え、競争相手より一歩進んだ開発をしなければ、消費者からの支持を得られなくなってしまうという問題点があった。
【０００５】
　本考案は、マイナスイオンを発生する機能を持たせて除塵、殺菌し、空気を浄化する効果を有し、使用価値を高めることができるマイナスイオン発生器付き天井ファンを提供することを目的とする。
【課題を解決するための手段】
【０００６】
　前記の目的を図るために、本考案は、天井ファンとマイナスイオン発生器とを有し、上記天井ファンは、１つの吊りロッド上に１つの天座を有し、上記天座内に、上記天座下方に設置された数個の羽根を回転させる駆動装置を有し、上記天座の下方の上記吊りロッド上に、内部に上記羽根を動作させる変速コントロールスイッチ及び方向切り換えスイッチ、電気コードを有する１つのコントローラーカバーを有し、上記コントローラーカバー内に１つの上記マイナスイオン発生器を有し、上記マイナスイオン発生器の電源コードを上記天井ファンの上記電気コードと連結させ、上記天井ファンのスイッチを入れると同時に上記マイナスイオン発生器にもスイッチが入る構造で、上記マイナスイオン発生器のマイナスイオン放出端は、上記コントローラーカバー上の１つの穴より外部に突出するよう設置され、上記天井ファン上のスイッチを入れることにより、同時にマイナスイオンを発生させることを特徴とする。
【考案の効果】
【０００７】
　本考案のマイナスイオン発生器付き天井ファンにおいて、マイナスイオン発生器を具備する新式のコントローラーカバーの構造を提供することができる。
【０００８】
　また、本考案のマイナスイオン発生器付き天井ファンにおいて、マイナスイオン発生器を増設し、天井ファンと連結することにより、天井ファンのスイッチを入れた時に、天井ファンの駆動と同時にマイナスイオンを発生させることができ、除塵殺菌、室内の空気を浄化することにより、人体の健康に有益な効果をもたらし、天井ファンの使用価値を高めることができる。
【考案を実施するための最良の形態】
【０００９】
　以下に添付図面を参照して本考案のある好適な実施の形態を詳細に説明するが、それらの構成は本考案の構造の絶対的な制限にならない。図１は、本考案の第１実施例に係るマイナスイオン発生器付き天井ファンを組み合わせた状態を示す斜視図である。図２は、本考案の天井ファンのコントローラーカバーの内部構造を示す斜視図である。図３は、本考案のマイナスイオン発生器の斜視図である。図４は、本発明の機能を説明するための断面図である。図５は、本考案の第２実施例に係るマイナスイオン発生器付き天井ファンの機能を説明するための断面図である。図１、２は本考案のマイナスイオン発生器付き天井ファンの構造を示す実施例であり、天井ファン１０は１つの吊りロッド１１上に１つの天座１２を有する。天座１２内に駆動装置を有し、駆動装置は、天座１２下方に設置された数個の羽根１３を回転させることができる。更に、天座１２の下方の吊りロッド１１上に１つのコントローラーカバー１４を有し、コントローラーカバー１４は内部に羽根１３を動作させる為の変速コントロールスイッチ１５及び方向切り換えスイッチ１６、電気コード１７を有する構造である。
【００１０】
　コントローラーカバー１４内に１つのマイナスイオン発生器２０を有し(上記マイナスイオン発生器２０は既存の装置であり、内部の構造は本考案の申請の範囲内ではない)、マイナスイオン発生器２０の電源コード２１を天井ファン１０の電気コード１７と連結させることにより、天井ファン１０のスイッチを入れると同時にマイナスイオン発生器２０にもスイッチが入る構造である。
【００１１】
　マイナスイオン発生器２０のマイナスイオン放出端２２は、コントローラーカバー１４上の１つの穴１８より外部に突出するよう設置されている。天井ファン１０上のスイッチを入れることにより、同時にマイナスイオンＡを発生させることができる。図４に示すように穴１８はコントローラーカバー１４の側壁上に設置してもよく、また、図５に示すように穴１８１のようにコントローラーカバー１４の底面に設置してもよい。
【００１２】
　上記構造の特徴により、天井ファン１０の羽根１３にスイッチが入り、旋回する時、同時にマイナスイオン発生器２０にもスイッチが入り、マイナスイオンＡを発生する。発生するマイナスイオンＡはコントローラーカバー１４の側壁外部より突出するマイナスイオン放出端２２より放出される。マイナスイオン放出端２２は天井ファン１０の羽根１３の下方に位置する為、羽根１３の回転により、気流Ｂは下向きに流れ、マイナスイオン放出端２２から放出される上記マイナスイオンＡは迅速に周辺の空間に拡散される（図２）。
【００１３】
　補足説明をすると、本考案は一種の組み合わせ構造で、既存の天井ファン１０と既存のマイナスイオン発生器２０とを結合させることにより、天井ファン１０の機能を増進させることができる。別の角度から言えば、マイナスイオン発生器２０も天井ファン１０の導流空調効果により放出されるマイナスイオンＡを迅速に拡散することができ、相互に影響し合うことにより、効果を高めることができる。
【００１４】
　マイナスイオン発生器２０の作動原理は５〜６．４ＫＶのマイナス直流高圧電流を金属針或は炭化繊維上に流すことにより、針の先付近の空気をマイナスイオンＡに電離させることができる。
【００１５】
　マイナスイオンＡのメリットは現在わかっている点は以下の通りである。
１．除塵：マイナスイオンＡは空気中のほこり、花粉、けむり等電荷（静電）を付帯させ、容易に地面に吸着される為、空気の浄化効果を達成する。
２．殺菌：マイナスイオンＡの濃度が５０，０００〜１００，０００lons/ccの間の時、殺菌及び脱臭、解毒効果がある。
３．健康増進：上記マイナスイオンＡは呼吸器官の繊毛組織の運動を加速させたり、血液中のヘモグロビンの含有量を増加させたり、血糖値を下げたりすることができる。また、鎮静作用及び神経衰弱予防効果があり、免疫効果を高めることができる。
【００１６】
　上記において本考案の構成、特徴及び各部分の位置関係を説明したが、以下において本考案の効果及び長所を詳述する。
１．コントローラーカバー１４内に１つのマイナスイオン発生器２０を有する構造形態を提供することができる。
２．マイナスイオン発生器２０を増設し、天井ファン１０上のスイッチを入れると同時にマイナスイオンを発生させることにより、除塵殺菌、室内の空気を浄化することにより、人体の健康に有益な効果をもたらし、更に、天井ファン１０の使用価値を高めることができる。
【００１７】
　尚、本考案のマイナスイオン発生器付き天井ファンは上記の構成に限定されることなく、本考案のマイナスイオン発生器付き天井ファンを変形及び改良した構成においても適応可能である。
【図面の簡単な説明】
【００１８】
【図１】本考案の第１実施例に係るマイナスイオン発生器付き天井ファンを組み合わせた状態を示す斜視図である。
【図２】本考案の天井ファンのコントローラーカバーの内部構造を示す斜視図である。
【図３】本考案のマイナスイオン発生器の斜視図である。
【図４】本発明の機能を説明するための断面図である。
【図５】本考案の第２実施例に係るマイナスイオン発生器付き天井ファンの機能を説明するための断面図である。
【符号の説明】
【００１９】
　１０　　　　　　　天井ファン
　１１　　　　　　　吊りロッド
　１２　　　　　　　天座
　１３　　　　　　　羽根
　１４　　　　　　　コントローラーカバー
　１５　　　　　　　変速コントロールスイッチ
　１６　　　　　　　方向切り換えスイッチ
　１７　　　　　　　電気コード
　１８、１８１　　　穴
　２０　　　　　　　マイナスイオン発生器
　２１　　　　　　　電源コード
　２２　　　　　　　マイナスイオン放出端
　Ａ　　　　　　　　マイナスイオン
　Ｂ　　　　　　　　気流
【図１】
0003099900.tif 000003
【図２】
0003099900.tif 000004
【図３】
0003099900.tif 000005
【図４】
0003099900.tif 000006
【図５】
0003099900.tif 000007